(57)【特許請求の範囲】
【請求項１】
ユーザ端末と、
上記ユーザ端末を接続する第１のネットワークと、
上記第１のネットワークを介した上記ユーザ端末からの接続及び注文を受け付ける注文受付装置と、
上記注文受付装置で認証され、かつ注文が受け付けられた上記ユーザ端末から上記第１のネットワークを介して送信された２次元画像に画像処理を施す画像処理装置と、
上記注文受付装置及び上記画像処理装置を介して上記第１のネットワークと接続される第２のネットワークと、
上記画像処理装置が上記２次元画像に画像処理を施して得られた画像処理データとしての動画像データを上記第２のネットワークを介して受け取って蓄積する画像蓄積装置と、
上記第１のネットワークを介して上記ユーザ端末からの注文に応じた課金及び決済を行う課金及び決済装置と、
上記課金及び決済装置による課金及び決済の完了を上記第１のネットワークを介して上記注文受付装置が把握した後に、上記注文受付装置が既に受け付けていた注文に応じた上記画像処理データからなる動画像出力を上記第２のネットワークを介して受注する受注装置とを備え、
上記ユーザ端末は、上記注文受付装置を介して送られてきた画像データを基に、上記２次元画像に簡易画像処理を施して動画像データとしてプレビューし、２次元画像とパラメータを調整して、上記画像処理装置に送信し、
上記画像処理装置は、上記ユーザ端末から受け取った上記２次元画像とパラメータを用いて、上記２次元画像に画像処理を施し、得られた画像処理データとしての動画像データを上記画像蓄積装置に蓄積し、
上記受注装置からの受注に応じて上記画像蓄積装置に蓄積された上記画像処理データからなる動画像出力を上記第１のネットワークを介して上記ユーザ端末にダウンロードさせる動画像受注システム。
【請求項２】
上記画像処理装置は、上記ユーザ端末から上記第１のネットワークを介して受け取った上記２次元画像に、画像のサイズ変換処理、回転処理を施す請求項１記載の動画像受注システム。
【請求項３】
上記画像処理装置は、上記ユーザ端末から上記第１のネットワークを介して受け取った上記２次元画像に、モーフィング処理を施す請求項１記載の動画像受注システム。
【請求項４】
上記画像処理装置は、上記ユーザ端末から上記第１のネットワークを介して受け取った上記２次元画像に、テクスチャーマッピング処理、レンダリングによる視差画像生成処理を施す請求項１記載の動画像受注システム。
【請求項５】
上記画像処理装置は、上記静止画像に、立体風データ化、動画データ化を選択的に施す請求項１記載の動画像受注システム。
【請求項６】
上記画像処理装置は、上記静止画像に立体文字を配置する請求項１記載の動画像受注システム。
【請求項７】
上記画像処理装置は、上記立体文字を移動、回転、ズームする請求項６記載の動画像受注システム。
【請求項８】
上記画像処理装置は、上記静止画像に平面文字を配置する請求項１記載の動画像受注システム。
【請求項９】
上記画像処理装置は、上記平面文字を移動、回転、ズームする請求項８記載の動画像受注システム。
【請求項１０】
上記画像処理装置は、上記静止画像にフリッピング処理を施す請求項１記載の動画像受注システム。
【請求項１１】
上記ユーザ端末は、上記画像処理装置が上記２次元画像に画像処理を施して得られた画像処理データをプレビューする請求項１記載の動画像受注システム。
【請求項１２】
上記画像処理装置は、上記ユーザ端末によるプレビューの結果を受けて、上記画像蓄積装置に上記画像処理データを上記第２のネットワークを介して送る請求項１１記載の動画像受注システム。
【請求項１３】
上記ユーザ端末は、料金の支払いに必要となる支払方法に関する情報である支払情報を生成し、この支払情報を上記第１のネットワークを介して上記課金及び決済装置に供給し、上記課金及び決済装置は、上記支払情報に基づいて、注文された動画像に対する課金及び決済を行う請求項１記載の動画像受注システム。
【請求項１４】
上記課金及び決済装置は、上記支払情報に基づいて、課金処理の内容を示す課金及び決済に関する情報を生成し、複数の課金処理に対応して生成される上記課金及び決済に関する情報をデータベースとして保存する請求項１３記載の動画像受注システム。
【請求項１５】
上記注文受付装置は、上記課金及び決済装置によって課金処理が完了すると、注文の内容を示す受注データを上記第２のネットワークを介して上記受注装置に供給するとともに、上記注文の受付に関する情報を生成する請求項１３記載の動画像受注システム。
【請求項１６】
注文受付装置が、第１のネットワークを介したユーザ端末からの接続及び注文を受け付ける注文受付工程と、
画像処理装置が、上記注文受付工程で認証され、かつ注文が受け付けられた上記ユーザ端末から上記第１のネットワークを介して送信された２次元画像に画像処理を施す画像処理工程と、
画像蓄積装置が、上記画像処理工程で上記２次元画像に画像処理を施して得られた画像処理データとしての動画像データを第２のネットワークを介して受け取って蓄積部に蓄積する画像蓄積工程と、
課金及び決済装置が、上記第１のネットワークを介して上記ユーザ端末からの注文に応じた課金及び決済を行う課金及び決済工程と、
受注装置が、上記課金及び決済工程による課金及び決済の完了を上記第１のネットワークを介して上記注文受付工程が把握した後に、上記注文受付工程が既に受け付けていた注文に応じた上記画像処理データからなる動画像出力を上記第２のネットワークを介して受注する受注工程とを備え、
上記ユーザ端末は、上記注文受付工程を介して送られてきた画像データを基に、上記２次元画像に簡易画像処理を施して動画像データとしてプレビューし、２次元画像とパラメータを調整して、上記画像処理工程に送信し、
上記画像処理工程では、上記ユーザ端末から受け取った上記２次元画像とパラメータを用いて、上記２次元画像に画像処理を施し、得られた画像処理データとしての動画像データを上記蓄積部に蓄積し、
上記受注工程からの受注に応じて、上記画像蓄積工程で蓄積部に蓄積された上記画像処理データからなる動画像出力を上記第１のネットワークを介して上記ユーザ端末にダウンロードさせる動画像受注方法。
【発明の詳細な説明】
【０００１】
【発明の属する技術分野】
本発明は、ネットワークを介して送信された複数の２次元画像にユーザの注文に応じて画像処理を施し、その画像処理データに基づいた動画像出力をダウンロードするサービスの受注を行う動画像受注システム及び方法に関する。
【０００２】
【従来の技術】
近年、例えば登録実用新案第３０１４７３３号公報に記載されている映像プリント供給装置のように、被写体の撮影から撮影結果の印刷までのサービスを同一場所で提供可能であるシステムが普及している。
【０００３】
また、最近では、静止画像だけではなく、動画像や視差画像を撮影して印刷するシステムが開発されており、視認する方向を変化させることで、視認される画像が変化する印刷物を得ることもできる。
【０００４】
このような事業を展開する例としては、レンチキュラ技術を利用して印刷物としての視差画像写真を作成するものがあり、例えば、
○“コニカ株式会社”による３眼式レンズ付きフィルム“撮りっきりコニカ３Ｄ（商標）”とその印刷サービス
○“コダック株式会社”による３眼式レンズ付きフィルム“Ｋｏｄａｋスナップキッズ３Ｄ（商標）”とその印刷サービス
○“松下電器産業株式会社”により開発されたものであり、６枚の画像を合成した商品名“ＭＩＰ（Motion Image Print）カード”と、このカードを作成する装置“うごい太郎（商標）”
○“株式会社ちきゅう屋”によるサービスであり、上述した“うごい太郎（商標）”により作成されるカードの注文をいわゆるインターネットで受け付けるサービス
○“松下電器産業株式会社”による業務用アミューズメント機器の受注販売であり、撮影した連続写真を視認する角度によって被写体が動いているように見える１枚のカードとして提供する動画カードの自動販売機
といったものが挙げられる。
【０００５】
また、同様のシステムとしては、ホログラフィ技術を利用して印刷物を作成するものがあり、このような技術としては、例えば、
○「Akira Shirakura, Nobuhiro Kihara and Shigeyuki Baba, “Instant holographic portrait printing system”, Proceeding of SPIE, Vol. 3293, pp. 246-253, Jan. 1998」
○「木原、白倉、馬場：“高速ホログラムポートレイトプリントシステム”、３次元画像コンファレンス１９９８、１９９８年７月」
に記載されているものが挙げられ、これらの文献には、被写体の撮影から撮影結果の印刷までのサービスを同一場所で提供するシステムが開示されている。
【０００６】
【発明が解決しようとする課題】
ところで、従来、ユーザが撮影した画像を画像処理するには、特別のアプリケーションソフトウェアを要し、その操作には専門知識を要した。また計算量の大きな画像処理をするためにはユーザのコンピュータに高い性能を要した。
【０００７】
本発明は、このような実情に鑑みてなされたものであり、ユーザにとっては、既に撮影して得ていた２次元画像を複数枚、ネットワークを介して事業者に送るだけで、本システムではユーザは単純な操作と画像データのアップロードのみで、所望の画像処理が施された動画像をダウンロードすることができるとともに、事業者にとっては、システムの稼働率を高めることができ、ユーザ及び事業者の双方に優れた利便を提供することができる動画像受注システム及び方法を提供することを目的とするものである。
【０００８】
【課題を解決するための手段】
本発明に係る動画像受注装置は、上述の課題を解決するために、ユーザ端末と、上記ユーザ端末を接続する第１のネットワークと、上記第１のネットワークを介した上記ユーザ端末からの接続及び注文を受け付ける注文受付装置と、上記注文受付装置で認証され、かつ注文が受け付けられた上記ユーザ端末から上記第１のネットワークを介して送信された２次元画像に画像処理を施す画像処理装置と、上記注文受付装置及び上記画像処理装置を介して上記第１のネットワークと接続される第２のネットワークと、上記画像処理装置が上記２次元画像に画像処理を施して得られた画像処理データとしての動画像データを上記第２のネットワークを介して受け取って蓄積する画像蓄積装置と、上記第１のネットワークを介して上記ユーザ端末からの注文に応じた課金及び決済を行う課金及び決済装置と、上記課金及び決済装置による課金及び決済の完了を上記第１のネットワークを介して上記注文受付装置が把握した後に、上記注文受付装置が既に受け付けていた注文に応じた上記画像処理データからなる動画像出力を上記第２のネットワークを介して受注する受注装置とを備え、上記ユーザ端末は、上記注文受付装置を介して送られてきた画像データを基に、上記２次元画像に簡易画像処理を施して動画像データとしてプレビューし、２次元画像とパラメータを調整して、上記画像処理装置に送信し、上記画像処理装置は、上記ユーザ端末から受け取った上記２次元画像とパラメータを用いて、上記２次元画像に画像処理を施し、得られた画像処理データとしての動画像データを上記画像蓄積装置に蓄積し、上記受注装置からの受注に応じて上記画像蓄積装置に蓄積された上記画像処理データからなる動画像出力を上記第１のネットワークを介して上記ユーザ端末にダウンロードさせる。
【０００９】
本発明に係る動画像受注システムは、上記課題を解決するために、第１のネットワークと、上記第１のネットワークを介し接続及び注文を受け付けるとともに、画像処理の補助データを送信する注文受付装置と、上記注文受付装置で接続が認証され、かつ注文が受け付けられた後に、上記第１のネットワークを介して送信された画像処理の補助データを用いて２次元画像に画像処理を施すユーザ端末と、上記注文受付装置を介して上記第１のネットワークと接続される第２のネットワークと、上記ユーザ端末が上記２次元画像に画像処理を施して得られた画像処理データを上記第２のネットワークを介して受け取って蓄積する画像蓄積装置と、上記第１のネットワークを介して上記ユーザ端末からの注文に応じた課金及び決済を行う課金及び決済装置と、上記課金及び決済装置による課金及び決済の完了を上記第１のネットワークを介して上記注文受付装置が把握した後に、上記注文受付装置が既に受け付けていた注文に応じた上記画像処理データからなる動画像出力を上記第２のネットワークを介して受注する受注装置とを備え、上記受注装置からの受注に応じて上記画像蓄積装置に蓄積された上記画像処理データからなる動画像出力を上記第１のネットワークを介して上記ユーザ端末にダウンロードさせる。
【００１０】
本発明に係る動画像受注方法は、上述の課題を解決するために、注文受付装置が、第１のネットワークを介したユーザ端末からの接続及び注文を受け付ける注文受付工程と、画像処理装置が、上記注文受付工程で認証され、かつ注文が受け付けられた上記ユーザ端末から上記第１のネットワークを介して送信された２次元画像に画像処理を施す画像処理工程と、画像蓄積装置が、上記画像処理工程で上記２次元画像に画像処理を施して得られた画像処理データとしての動画像データを第２のネットワークを介して受け取って蓄積部に蓄積する画像蓄積工程と、課金及び決済装置が、上記第１のネットワークを介して上記ユーザ端末からの注文に応じた課金及び決済を行う課金及び決済工程と、受注装置が、上記課金及び決済工程による課金及び決済の完了を上記第１のネットワークを介して上記注文受付工程が把握した後に、上記注文受付工程が既に受け付けていた注文に応じた上記画像処理データからなる動画像出力を上記第２のネットワークを介して受注する受注工程とを備え、上記ユーザ端末は、上記注文受付工程を介して送られてきた画像データを基に、上記２次元画像に簡易画像処理を施して動画像データとしてプレビューし、２次元画像とパラメータを調整して、上記画像処理工程に送信し、上記画像処理工程では、上記ユーザ端末から受け取った上記２次元画像とパラメータを用いて、上記２次元画像に画像処理を施し、得られた画像処理データとしての動画像データを上記蓄積部に蓄積し、上記受注工程からの受注に応じて、上記画像蓄積工程で蓄積部に蓄積された上記画像処理データからなる動画像出力を上記第１のネットワークを介して上記ユーザ端末にダウンロードさせる。
【００１１】
本発明に係る動画像受注システムは、上記課題を解決するために、第１のネットワークを介し接続及び注文を受け付けるとともに、画像処理の補助データを送信する注文受付工程と、上記注文受付工程で接続が認証され、かつ注文が受け付けられた後に、上記第１のネットワークを介して送信された画像処理の補助データを用いて２次元画像に画像処理を施すユーザ端末を用いた画像処理工程と、上記画像処理工程にて、ユーザ端末を用い、上記２次元画像に画像処理を施して得られた画像処理データを第２のネットワークを介して受け取って蓄積する画像蓄積工程と、上記第１のネットワークを介して上記ユーザ端末からの注文に応じた課金及び決済を行う課金及び決済工程と、上記課金及び決済工程による課金及び決済の完了を上記第１のネットワークを介して上記注文受付工程が把握した後に、上記注文受付工程が既に受け付けていた注文に応じた上記画像処理データからなる動画像出力を上記第２のネットワークを介して受注する受注工程とを備え、上記受注工程からの受注に応じて、上記画像蓄積工程で蓄積部に蓄積された上記画像処理データからなる動画像出力を上記第１のネットワークを介して上記ユーザ端末にダウンロードさせる。
【００１２】
【発明の実施の形態】
以下、本発明を適用したいくつかの実施の形態について図面を参照しながら詳細に説明する。これらいくつかの実施の形態は、ユーザが既に所持している２次元画像に画像処理を施して得られる動画像を、ネットワークを介してダウンロードするための動画像受注システムである。
【００１３】
まず、本発明の第１の実施の形態について説明する。この動画像受注システムは、図１に示すように、動画像の注文を受け付ける注文受付サーバ８０と、画像に対する各種処理を施す画像処理サーバ６０と、画像を蓄積する画像蓄積サーバ３０と、注文された動画像に対する課金及び決済を行う課金・決済サーバ７０と、動画像出力の配信を受注する動画像配信受注サーバ２０と、ユーザが所持するユーザ端末９０とを備える。
【００１４】
これらの各装置のうち、動画像配信受注サーバ２０及び画像蓄積サーバ３０は、いわゆるバックヤードを構成し、画像処理サーバ６０、課金・決済サーバ７０及び注文受付サーバ８０は、ユーザに対応するいわゆるストアフロントとしてのサーバ群を構成する。また、ユーザ端末９０と、画像処理サーバ６０、課金・決済サーバ７０及び注文受付サーバ８０とを結ぶ第１のネットワークは、いわゆるインターネット等の万人がアクセス可能とされるネットワーク網を示し、動画像配信受注サーバ２０、画像蓄積サーバ３０、画像処理サーバ６０及び注文受付サーバ８０とを結ぶ第２のネットワークは、いわゆるイントラネット等の事業者ベースで構成されるネットワーク網を示している。
【００１５】
すなわち、この動画像受注システムは、複数のユーザ端末９０が画像処理サーバ６０、課金・決済サーバ７０及び注文受付サーバ８０を結ぶネットワークに接続されるものである。
【００１６】
注文受付サーバ８０は、ユーザがユーザ端末９０を使って行った接続及び注文を受け付けるために、動画像の再注文を含む注文を受け付ける際の処理全般及び各種データの生成等を行う注文コンピュータ部８１と、動画像の注文の受付に関する各種情報をデータベースとして保存する注文データベース部８２とを有する。
【００１７】
注文コンピュータ部８１は、再注文を含む注文の内容を示す注文の受付に関する各種情報を生成し、この情報を注文データベース部８２に供給する。
【００１８】
そして、注文コンピュータ部８１は、ユーザ端末９０から接続要求がなされると、注文用の所定の初期画面をユーザ端末９０の図示しない表示部に表示させる。注文コンピュータ部８１は、ユーザ端末９０から注文データとして注文の内容を示す各種情報が供給されると、この注文データに基づいて、注文に関する各種処理を行う。具体的には、注文コンピュータ部８１は、ユーザ端末９０から注文の要求があると、ユーザの照会、認証を行う。その結果、ユーザが適格者であった場合には、注文コンピュータ部８１は、注文用の所定のメニュー画面をユーザ端末９０の表示画面に表示させ、ユーザ端末９０によるこのメニュー画面を介した選択動作に応じて、受付内容を確認し、ユーザに複数の２次元画像データを要求する。そして、注文コンピュータ部８１は、ユーザ端末９０から複数の２次元画像データが送信されてくると、その画像データを画像処理サーバ６０に送る。画像処理サーバ６０で画像処理が施された画像処理データは、画像蓄積サーバ３０に蓄積される。すると、注文コンピュータ部８１は、ユーザ端末９０に受付内容を表示し、ユーザから注文する旨を示す確認制御信号が供給されると、料金の支払いに関する所定の支払方法画面をユーザ端末９０の表示部に表示させ、ユーザ端末９０によるこの支払方法画面を介した選択動作に応じて、課金を指示する課金指示制御信号を課金・決済サーバ７０に供給する。さらに、注文コンピュータ部８１は、課金・決済サーバ７０から課金処理が完了した旨を示す上述した課金完了制御信号が供給されると、注文の受け付けが完了した旨を示す受付完了制御信号をユーザ端末９０に供給するとともに、当該注文の内容を示す上述した受注データを動画像配信受注サーバ２０に供給する。注文コンピュータ部８１は、これらの注文の内容を示す注文に関する情報を注文の受付に関する各種情報として生成し、この情報を注文データベース部８２に供給する。
【００１９】
注文データベース部８２は、例えばハードディスクドライブ等の大容量記憶媒体を有するものであり、注文コンピュータ部８１により生成された注文の受付に関する各種情報をデータベースとして保存する。
【００２０】
この注文データベース部８２に保存される注文の受付に関する各種情報は、例えば、注文毎に固有の識別番号とされる「注文番号」と、画像データに対するアクセス権の適格を認証するための「パスワード」と、注文された日時を示す「注文日時」と、注文を受けた画像の種別を示す「注文出力種別」と、「注文価格」と、料金の請求毎に固有の識別番号とされる「課金番号」と、動画像の配信先を知らせる配信元の「ＵＲＬ］、「送付先アドレス」と、注文番号に対応する画像データを示す「画像データ」とからなる。
【００２１】
注文データベース部８２は、複数の注文を含む注文に対応して生成されるこのような情報をデータベースとして保存する。注文データベース部８２からは、必要に応じて、注文コンピュータ部８１によって各種情報が読み出される。
【００２２】
このような注文受付サーバ８０は、動画像の注文を受け付け、注文の受付に関する情報を生成する。
【００２３】
画像処理サーバ６０は、注文受付サーバ８０で接続が認証され、かつ注文が受け付けれられたユーザ端末９０から送信された２次元画像に画像処理を施すため、処理コンピュータ部６１を有する。
【００２４】
処理コンピュータ部６１は、上記２次元画像に、画像のサイズ変換処理、回転処理を施す。また、モーフィング処理を施す。また、テクスチャーマッピング処理、レンダリングによる視差画像生成処理を施す。さらに、画像に対して平面文字や、立体文字を重ねるような処理を行う。これらの各処理については後述する。処理コンピュータ部６１で画像処理が施されて生成された画像処理データは、画像蓄積サーバ３０に送られる。
【００２５】
画像蓄積サーバ３０は、画像データを蓄積する際の制御全般及び各種データの生成等を行う画像コンピュータ部３１と、画像データの蓄積に関する各種情報をデータベースとして保存する画像データベース部３２とを有する。
【００２６】
画像コンピュータ部３１は、画像処理サーバ６０によって各種画像処理の施された画像データを受け取り、この画像処理データを例えばハードディスクドライブ等の図示しない大容量記憶媒体を有する画像データベース部３２に蓄積させる。また、画像コンピュータ部３１は、上記画像処理データ以外にも、例えばコンピュータグラフィックス（Computer Graphics；ＣＧ）により生成された画像データといった、種々の画像データを画像データベース部３２に蓄積させる。すなわち、画像コンピュータ部３１は、上述した画像処理データの他にも、３Ｄ画像や、前景画像データ・背景画像データをも画像データベース部３２に蓄積させる。さらに、画像コンピュータ部３１は、蓄積した画像データに対応して、これらの画像データの内容を示す画像データに関する各種情報を生成し、この情報を画像データベース部３２に供給して保存させる。さらにまた、画像コンピュータ部３１は、動画像配信受注サーバ２０から供給される画像要求制御信号に対応して要求された画像データを画像データベース部３２から読み出し、この画像データをユーザ端末９０に供給する。
【００２７】
画像データベース部３２は、例えばハードディスクドライブ等の大容量記憶媒体を有するものであり、画像コンピュータ部３１の制御の下に、各種画像データを蓄積するとともに、画像コンピュータ部３１により生成された画像データに関する各種情報をデータベースとして保存する。
【００２８】
この画像データベース部３２に保存される画像データに関する各種データは、注文毎に固有の識別番号とされる「画像番号（注文番号）」と、画像データに対するアクセス権の適格を認証するための「パスワード」と、画像データが蓄積された日時を示す「登録日時（注文日時）」と、「画像番号（注文番号）」に対応する画像データを示す「画像データ」とからなる。
【００２９】
画像データベース部３２は、複数の画像データに対応して生成されるこのような情報をデータベースとして保存する。画像データベース部３２からは、必要に応じて、画像コンピュータ部３１によって各種情報が読み出される。
【００３０】
このような画像蓄積サーバ３０は、種々の画像データを蓄積するとともに、画像データに関する情報を生成する。
【００３１】
課金・決済サーバ７０は、ユーザ端末９０からの注文に応じた課金及び決済を行うために、課金及び決済のための処理全般、並びに、各種データの生成等を行う課金コンピュータ部７１と、課金及び決済に関する各種情報をデータベースとして保存する課金データベース部７２とを有する。
【００３２】
課金コンピュータ部７１は、注文受付サーバ８０から課金を指示する課金指示制御信号が供給されると、ユーザ端末９０に対して、料金の支払いに必要となる支払方法に関する情報である支払情報を要求する。そして、課金コンピュータ部７１は、ユーザ端末９０からこの支払情報を注文データとして受け取ると、課金処理を実行し、支払いが完了した旨を示す支払完了制御信号をユーザ端末９０に供給するとともに、課金処理が完了した旨を示す課金完了制御信号を注文受付サーバ８０に供給する。課金コンピュータ部７１は、これらの処理の際、注文データに基づいて、課金処理の内容を示す課金及び決済に関する各種情報を生成し、課金データベース部７２に保存させる。
【００３３】
課金データベース部７２は、例えばハードディスクドライブ等の大容量記憶媒体を有するものであり、課金コンピュータ部７１により生成された課金及び決済に関する各種情報をデータベースとして保存する。
【００３４】
この課金データベース部７２に保存される課金及び決済に関する各種情報は、料金の請求毎に固有の識別番号とされる「課金番号」と、課金処理が開始された日時を示す「課金日時」と、「課金額（注文価格）」と、「支払方法」と、「金融機関名」と、「カード番号・口座番号」と、「決済状態」とからなる。
【００３５】
「課金番号」は、料金の請求毎に“ＪＰＰＡＹ８００”，“ＪＰＰＡＹ８０１”といった固有の識別番号が付与されてなる。「課金日時」は、課金処理が開始された日時を示す。「課金額（注文価格）」は、注文された動画像の料金を示す。「支払方法」は、例えば口座引き落とし等の料金の支払方法を示し、例えば、ユーザがクレジットカードでの支払いを希望した場合には、“クレジットカード”という情報が記録され、ユーザが銀行口座からの引き落としを希望した場合には、“銀行口座”という情報が記録される。「金融機関名」は、支払方法に対応した金融機関名を示し、例えば、ユーザがクレジットカードでの支払いを希望した場合には、そのクレジットカード会社名が記録され、ユーザが銀行口座からの引き落としを希望した場合には、その銀行名が記録される。「カード番号・口座番号」は、支払方法に対応したカード番号を示し、例えば、ユーザがクレジットカードでの支払いを希望した場合には、そのクレジットカードの番号が記録され、ユーザが銀行口座からの引き落としを希望した場合には、その銀行のキャッシュカードの番号が記録される。「決済状態」は、例えば“請求中”、“受収済”といった、課金処理の進行状態を示す。
【００３６】
課金データベース部７２は、複数の課金処理に対応して生成されるこのような情報をデータベースとして保存する。課金データベース部７２からは、必要に応じて、課金コンピュータ部７１によって各種情報が読み出される。
【００３７】
このような課金・決済サーバ７０は、課金及び決済に関する全ての処理を担うとともに、課金及び決済に関する情報を生成する。
【００３８】
動画像配信受注サーバ２０は、動画像出力の配信に関する処理全般及び各種データの生成等を行う受注コンピュータ部２１と、受注に関する各種情報をデータベースとして保存する受注データベース部２２とを有する。
【００３９】
受注コンピュータ部２１は、ユーザ端末９０から供給される注文データに基づいて、受注に関する各種情報を生成し、この情報を受注データベース部２２に供給する。また、受注コンピュータ部２１は、ユーザが注文データに対応する動画像を後日再注文する場合に備え、注文データに基づいて、動画像の再受注に必要となる情報を生成し、再受注時照会データとして注文受付サーバ８０に供給する。さらに、受注コンピュータ部２１は、画像処理の施された動画像を出力する旨を指示するための出力指示制御信号を生成し、この出力指示制御信号を画像蓄積サーバ３０に供給する。さらにまた、受注コンピュータ部２１は、再受注時には、注文受付サーバ８０から再受注データを受け取り、この再受注データに基づいて、受注に関する各種情報を生成し、この情報を受注データベース部２２に供給する。
【００４０】
受注データベース部２２は、例えばハードディスクドライブ等の大容量記憶媒体を有するものであり、受注コンピュータ部２１により生成された受注に関する各種情報をデータベースとして保存する。
【００４１】
この受注データベース部２２に保存される受注に関する各種情報は、ユーザ端末９０から供給される注文データに基づいて受注コンピュータ部２１により生成されたものである。
【００４２】
また、受注に関する各種情報は、注文受付サーバ８０から供給される上述した再受注データに基づいて受注コンピュータ部２１により生成されたものもある。
【００４３】
受注データベース部２２は、複数の受注に対応して生成されるこのような情報をデータベースとして保存する。受注データベース部２２からは、必要に応じて、受注コンピュータ部２１によって各種情報が読み出される。
【００４４】
このような動画像配信受注サーバ２０は、動画像の受注に関する処理全般を行い、受注の内容を示す受注に関する情報を生成する。
【００４５】
ユーザ端末９０は、ユーザが使用するユーザコンピュータ部９１を有する。ユーザコンピュータ部９１は、例えば、パーソナルコンピュータ、携帯電話機又は携帯情報端末機といった、インターネット等のネットワークに接続可能なユーザの所持品である。ユーザコンピュータ部９１は、動画像の注文を行う際に、所定の接続業者を介して注文受付サーバ８０に対して接続要求を行い、接続が許可されると、注文受付サーバ８０から上述した注文用の所定の初期画面がダウンロードされ、この初期画面を図示しない表示部に表示する。また、ユーザコンピュータ部９１は、ユーザがこの初期画面上のボタン等を操作することによって注文の要求を行うと、注文受付サーバ８０からの上述した注文データの要求に応じて、注文データを注文受付サーバ８０に供給する。この結果、注文が許可されると、ユーザコンピュータ部９１は、注文受付サーバ８０から注文用の所定のメニュー画面がダウンロードされ、このメニュー画面を表示部に表示する。さらに、ユーザコンピュータ部９１は、ユーザが注文を決定する旨を主張する所定の操作を行うと、確認制御信号を注文受付サーバ８０に供給する。そして、ユーザコンピュータ部９１は、注文受付サーバ８０からの画像データ要求に応じて、複数の２次元画像を第１のネットワークを介して送信する。その後、ユーザコンピュータ部９１は、注文受付サーバ８０から所定の支払方法画面がダウンロードされ、この支払方法画面を表示部に表示する。ユーザコンピュータ部９１は、ユーザがこの支払方法画面上のボタン等を操作することによって支払方法を選択し、その旨を示す支払方法制御信号を注文受付サーバ８０に供給する。さらにまた、ユーザコンピュータ部９１は、課金・決済サーバ７０から上述した支払情報が要求されるのに応じて、ユーザが図示しない操作部を介して所定の支払情報を入力し、この支払情報を上述した注文データとして課金・決済サーバ７０に供給する。
【００４６】
すると、課金・決済サーバ７０は、上記注文データに応じて課金額提示制御信号をユーザ端末９０に送る。この課金額提示に対してユーザ端末９０が了解した旨の確認制御信号を注文受付サーバ８０に返すと、注文受付サーバ８０の注文コンピュータ部８１は、動画像配信受注サーバ２０の受注コンピュータ２１に対して注文データを送信する。
【００４７】
動画像配信受注サーバ２０の受注コンピュータ２１は、上記注文データに基づいて画像蓄積サーバ３０に動画像の出力指示制御信号を送る。この出力指示制御信号に応じて画像蓄積サーバ３０から、画像処理の施された動画像データがユーザ端末９０にダウンロードされる。
【００４８】
ユーザ端末９０が上記動画像データをダウンロードすると、ダウンロードしたということを示すダウンロード確認信号が注文受付サーバ８０に供給される。この注文受付サーバ８０はダウンロード確認信号の受信を課金・決済サーバ７０に知らせる。すると、課金・決済サーバ７０は、課金を実行する。
【００４９】
そして、ユーザ端末９０のユーザコンピュータ部９１には、課金・決済サーバ７０から支払完了制御信号が供給される。また、注文受付サーバ８０には課金完了通知が送られ、完了処理がなされる。
【００５０】
上記ユーザ端末９０は、上記２次元画像を送信すると共に、注文を行う際のユーザインターフェースとして機能するものであり、ユーザが事業者との間でネットワークを介して情報の受け渡しを行うことを可能とする通信端末である。
【００５１】
さて、このような各装置からなる動画像受注システムは、各装置間で図２に示すような情報の受け渡しを行い、動画像出力を受注する。なお、同図は、ユーザによって送信された２次元画像に基づいて得られた動画像出力を注文するプロセスと、動画像を出力するプロセスにて受け渡しされる情報を示す。
【００５２】
この動画像受注システムにおいては、まず、ユーザがユーザ端末９０を介して注文受付サーバ８０にアクセスすることにより処理が開始される。
【００５３】
先ず、ユーザがユーザ端末９０を介して注文受付サーバ８０に、接続及びユーザ照会を行う。ここで、ユーザを照会し、ユーザが適格者であり、接続が認証ができた場合、注文受付サーバ８０はユーザ端末９０から送信される複数の２次元画像を受け付け、画像処理サーバ６０に送る。
【００５４】
画像処理サーバ６０は、上記複数の２次元画像に所定の画像処理を施し、動画像を生成して画像蓄積サーバ３０に送る。画像サーバ３０は、画像処理サーバ６０からの動画像データを蓄積する。
【００５５】
ユーザ端末９０は、注文受付サーバ８０からの支払い方法画面表示にしたがって支払い方法を選択する。注文受付サーバ８０は、支払い方法を確認し、課金・決済サーバ７０に課金の準備を行わせる。
【００５６】
すると、課金・決済サーバ７０は、ユーザ端末９０に支払方法情報を要求する。これに対してユーザ端末９０から支払い方法情報が送信されてくると、課金・決済サーバ７０は、上記注文データに応じて課金額提示制御信号をユーザ端末９０に送る。この課金額提示に対してユーザ端末９０が了解した旨の確認制御信号を注文受付サーバ８０に返すと、注文受付サーバ８０の注文コンピュータ部８１は、動画像配信受注サーバ２０の受注コンピュータ２１に対して注文データを送信する。
【００５７】
動画像配信受注サーバ２０の受注コンピュータ２１は、上記注文データに基づいて画像蓄積サーバ３０に動画像の出力指示制御信号を送る。この出力指示制御信号に応じて画像蓄積サーバ３０から、画像処理の施された動画像データがユーザ端末９０にダウンロードされる。
【００５８】
ユーザ端末９０が上記動画像データをダウンロードすると、ダウンロードしたということを示すダウンロード確認信号が注文受付サーバ８０に供給される。この注文受付サーバ８０はダウンロード確認信号の受信を課金・決済サーバ７０に知らせる。すると、課金・決済サーバ７０は、課金を実行する。
【００５９】
そして、ユーザ端末９０のユーザコンピュータ部９１には、課金・決済サーバ７０から支払完了制御信号が供給される。また、注文受付サーバ８０には課金完了通知が送られ、完了処理がなされる。
【００６０】
より具体的に、動画像受注システムは、図３及び図４に示すような一連の処理を行うことにより、動画像を受注する。この一連の処理は、３つの工程、すなわち、接続及びユーザ照会工程、受付及び受付内容確認工程、ダウンロード及び支払工程に大別される。
【００６１】
先ず、動画像受注システムにおいては、図３に示すように、接続及びユーザ照会工程が行われる。始めに、ステップＳ２１において、ユーザ端末９０が注文受付サーバ８０に対する注文準備処理を行う。この注文準備処理は、例えば、ユーザが、いわゆるウェブサイトを閲覧するためのいわゆるブラウズソフトウェアを起動し、再注文を行うためのウェブサイトを示すＵＲＬ（Uniform Resource Locator）を図示しない操作部を介して入力し、所定の接続業者を介してユーザ端末９０と注文受付サーバ８０との通信を確立を試みるような処理である。このシステムにおいては、この注文準備処理に応じて、ユーザ端末９０から注文受付サーバ８０に対して、接続を要求するための接続要求制御信号Ｃ２１が供給される。これにともない、このシステムにおいては、接続が許可されると、注文受付サーバ８０からユーザ端末９０に対して、上述した注文用の所定の初期画面ＩＶがダウンロードされ、ユーザ端末９０の図示しない表示部に表示される。
【００６２】
続いて、このシステムにおいては、ユーザが操作部を介して初期画面ＩＶ上の注文の要求を行うための選択ボタンを操作することによって注文の要求を行う。上記システムにおいては、この要求に応じて、ユーザ端末９０から注文受付サーバ８０に対して、注文を要求するための注文要求制御信号Ｃ２２が供給される。これにともない、このシステムにおいては、注文受付サーバ８０からユーザ端末９０に対して、ユーザが本システムの適格者であることを確認するため、会員番号を要求する要求制御信号Ｃ２３が供給される。これに対してユーザ端末９０から正しい会員番号ＵＩＤが送信されると、注文受付サーバ８０は、ユーザの照会を行う（ステップＳ２２）。
【００６３】
このように、注文受付サーバ８０は、ユーザが予め会員登録した者であるか否かを会員番号を基に照会する。会員番号の入力が無かったり、誤った会員番号入力があったときには、その旨をユーザに知らせ、再入力又は新規登録を促す。再入力も誤りであったり、新規登録が無いときは接続を遮断する。
【００６４】
続いて、動画像受注システムにおいては、ユーザの適格が認証されて注文が許可されると、受付及び受付内容確認工程が行われる。このシステムにおいては、注文受付サーバ８０からユーザ端末９０に対して、注文用の所定のメニュー画面ＭＶがダウンロードされ、ユーザ端末９０の表示部に表示される。このシステムにおいては、ユーザがメニュー画面ＭＶに表示されたメニューの中から注文する項目を選択し、操作部を介して当該項目を選択するための選択ボタンを操作することによって注文を行う。このシステムにおいては、この選択動作に応じて、ユーザ端末９０から注文受付サーバ８０に対して、選択された項目を示す選択制御信号Ｃ２４が供給される。これにともない、上記システムにおいては、ステップＳ２３において、注文受付サーバ８０によって選択された受付内容が確認される。
【００６５】
続いて、この動画像受注システムにおいては、注文受付サーバ８０からユーザ端末９０に対して動画像の基礎となる複数の２次元画像データの要求が行われ、要求制御信号Ｃ２５がユーザ端末９０に供給される。
【００６６】
この要求制御信号Ｃ２５に応えてユーザ端末９０から複数の２次元画像データＶＤが画像処理サーバ６０に送られる。
【００６７】
画像処理サーバ６０は、ステップＳ２６にて上記複数の２次元画像データＶＤに対して、画像のサイズ変換処理、回転処理を施す。また、モーフィング処理を施す。また、テクスチャーマッピング処理、レンダリングによる視差画像生成処理を施す。さらに、平面文字又は立体文字を入れたり、ズーミング処理を施す。これらの各処理については後述する。処理コンピュータ部６１で画像処理が施されて生成された画像処理データＥＶＤは、画像蓄積サーバ３０に送られる。画像蓄積サーバ３０は、上記画像処理データＥＶＤを蓄積する。
【００６８】
次に、注文受付サーバ８０は、ユーザ端末９０に受付内容の表示制御信号Ｃ２６を送る。これに対してユーザ端末９０が確認制御信号Ｃ２７を返すと注文受付サーバはステップＳ２７にて最終的な受付内容を確認する。
【００６９】
続いて、この動画像受注システムにおいては、図４に示すように、ダウンロード及び支払工程が行われる。このシステムにおいては、注文受付サーバ８０からユーザ端末９０に対して、上述した所定の支払方法画面ＣＶがダウンロードされ、ユーザ端末９０の表示部に表示される。そして、ユーザが支払方法画面ＣＶに表示されたメニューの中から所望の支払方法を選択し、操作部を介して当該支払方法を選択するための選択ボタンを操作することにより、ユーザ端末９０から注文受付サーバ８０に対して、支払方法制御信号Ｃ２８が供給される。そして、ステップＳ２８において、注文受付サーバ８０によって支払方法が確認され、課金を指示する課金指示制御信号Ｃ２９が課金・決済サーバ７０に供給される。
【００７０】
続いて、このシステムにおいては、ステップＳ２９において、課金・決済サーバ７０によって課金処理を行うための所定の準備処理が行われ、課金・決済サーバ７０からユーザ端末９０に対して、上述した支払情報を要求するための支払情報要求信号Ｃ３０が供給される。これにともない、このシステムにおいては、ユーザがユーザ端末９０における操作部を介して所定の支払情報を入力することにより、支払情報ＰＩがユーザ端末９０により生成され、課金・決済サーバ７０に供給される。
【００７１】
そして、ユーザ端末９０から課金・決済サーバ７０に対して、支払情報ＰＩが供給されると、課金・決済サーバ７０は、課金額提示制御信号Ｓ３１をユーザ端末９０に送る。この課金額提示に対してユーザ端末９０が了解した旨の確認制御信号Ｃ３２を注文受付サーバ８０に返すと、注文受付サーバ８０の注文コンピュータ部８１は、動画像配信受注サーバ２０の受注コンピュータ２１に対して注文データＯＤを送信する。
【００７２】
動画像配信受注サーバ２０の受注コンピュータ２１は、上記注文データＯＤに基づいて画像蓄積サーバ３０に動画像の出力指示制御信号Ｃ３３を送る。この出力指示制御信号Ｃ３３に応じて画像蓄積サーバ３０から、画像処理の施された動画像データがユーザ端末９０にダウンロードされる（ステップＳ３０）。
【００７３】
ユーザ端末９０が上記動画像データＥＶＤをダウンロードすると、ダウンロードしたということを示すダウンロード確認信号Ｃ３４が注文受付サーバ８０に供給される。この注文受付サーバ８０はダウンロード確認信号Ｃ３４の受信を課金・決済サーバ７０に知らせる（Ｃ３５）。すると、課金・決済サーバ７０は、ステップＳ３１にて課金を実行する。
【００７４】
そして、ユーザ端末９０のユーザコンピュータ部９１には、課金・決済サーバ７０から支払完了制御信号Ｃ３６が供給される。また、注文受付サーバ８０には課金完了通知Ｃ３７が送られ、ステップＳ３２にて完了処理がなされる。
【００７５】
ここで、画像処理サーバ６０の処理コンピュータ部６１の詳細な構成と、各種画像処理について説明する。
【００７６】
図５に示すように、処理コンピュータ部６１は、ユーザ端末９０の操作部におけるユーザの操作に応じて所望の画像処理を行う中央演算処理ユニット（ＣＰＵ）１２と、複数の画像処理アプリケーションソフトウェアを格納しているアプリケーションソフトウェア格納部１３と、画像処理の作業エリアとなるＲＡＭ１５とを備えている。
【００７７】
アプリケーションソフトウェア格納部１３には、立体文字入れ処理用アプリケーションソフトウェア１４1、ズーミング処理用アプリケーションソフトウェア１４2、モーフィング処理用アプリケーションソフトウェア１４3，テクスチャマッピング処理用アプリケーションソフトウェア１４4が格納されている。
【００７８】
立体文字入れ処理用アプリケーションソフトウェア１４1は、画像データＶＤに重ね書きするように立体文字をオーバーレイするプログラムであり、ユーザの選択により、ＣＰＵ１２で実行される。
【００７９】
ズーミング処理用アプリケーションソフトウェア１４2は、ユーザにより入力された領域指定データに基づいて、画像データＶＤ中の特定領域が徐々にズームするようにするためのプログラムである。領域指定データは、ユーザがモニタ１６上に表示されたズーム領域指定画面に従って、図６に示すようにズームしたい領域の２点を選択する（point１，point２）ことによって行える。
【００８０】
ユーザにより選択に応じてＣＰＵ１２がズーミング処理用アプリケーションソフトウェア１４2の具体例を実行したときの動作について説明する。先ず、画像処理サーバ１０は、領域指定データで指定されたズーム範囲を画像データＶＤから切り出す。次に、指定された領域に徐々にズームされるように複数枚の画像列を生成する。これら複数枚の画像に対して、時間と共にズーム状態が変化するような処理を施してから、生成した動画像を画像蓄積サーバ２０に送信する。
【００８１】
次に、モーフィング処理用アプリケーションソフトウェア１４3が行うモーフィング処理について説明する。モーフィング（Morphing）は、ある画像が別の画像へと変化する際に、これらの画像間の空白を埋めることによって、画像が徐々に変化するように見せる技術である。すなわち、モーフィングは、例えば図７の（Ａ）に示す六角形を表す画像が、三角形を表す画像に変化する場合において、図７の（Ｂ）に示すように、六角形と三角形との間の形状を補間して、形状の変化が少しづつ進行するように見せるものである。
【００８２】
このモーフィング処理においては、２枚の画像間での移動ベクトルに乗算する変化率を変化させることによって、複数の変化率を有する画像列を得ることができる。例えば、図８に示すように、２枚の平面画像である原画像Ａと原画像Ｂとのモーフィング処理において、変化率を０〜１の間で変化させることによって複数枚の画像からなる画像列Ｐを生成することができる。ここで、画像Ｐ１及びＰ２は、それぞれの変化率が０の場合と１の場合に等しく、原画像Ａ及びＢと同一のものであるとする。この画像列Ｐの諸画像を、時間の経過とともに変化させることによって、モーフィングが変化する平面画像を観察することができる。
【００８３】
このようにして、モーフィング処理においては、２枚の画像から複数の中間画像からなる画像列を生成することができる。このようなモーフィング処理を行うアプリケーションソフトウェア１４4をＣＰＵ１２が実行することにより、画像処理サーバ１０は、ユーザが入力した２枚の画像から複数の中間画像からなる画像列を生成する。それらの画像は、画像蓄積サーバ３０に蓄積される。
【００８４】
次に、テクスチャマッピング処理用アプリケーションソフトウェア１４4が行うテクスチャマッピング処理について説明する。テクスチャマッピング処理は、予め用意された３次元被写体の少なくとも一部となる立体画像モデルに対し、ユーザから入力された静止画像ＶＤをマッピングする画像処理である。このテクスチャマッピング処理を行うため、画像処理サーバ１０の画像処理コンピュータ部１１は、ＣＰＵ１２にて上記テクスチャマッピング処理用アプリケーションソフトウェア１４4を実行する。このときの画像処理サーバ１０内部を機能ブロックで示すと図９のようになる。すなわち、この画像処理サーバ１０は、３Ｄ画像ソース３ＤＶＳにより予め用意された３次元被写体の画像と、ユーザから入力された画像データＶＤとを合成し、その合成画像から動画像の元となる複数の画像である視差画像列を生成するため、上記テクスチャマッピング処理用アプリケーションソフトウェア１４4を実行することで、あたかも画像マッピング部５１と視差画像列生成部５２とを有するように機能する。
【００８５】
画像マッピング部５１は３Ｄ画像ソース３ＤＶＳからの３次元被写体の画像とその少なくとも一部となる立体画像モデルに対し、２次元画像ＶＤを合成する。視差画像列生成部５２は、画像マッピング部５１からの合成画像に対してレンダリング処理等を施して視差画像列を生成する。３Ｄ画像ソース３ＤＶＳは、コンピュータグラフィックス（ＣＧ）又は実写などによる３Ｄ画像を格納している。
【００８６】
図９に機能を示した画像処理サーバ１０の動作について図１０を用いて説明する。先ず、３Ｄ画像ソース３ＤＶＳからの３Ｄ画像５５と２次元画像ＶＤ（図中符号５７）を画像マッピング部５１により合成する。このとき、３Ｄ画像５５には人物の立体画像モデル５６が、３次元のポリゴンモデルとされた顔５６ａに眉、目、鼻、口等からなる表情を付けない状態で形成されている。２次元画像５７は眉、目、鼻、口等からなる表情を持った人の顔であり、上記３次元のポリゴンモデルとされた顔５６ａに合成される。この結果、３Ｄ画像中の３次元のポリゴンモデル５６ａに対し、２次元画像５７が合成された合成画像５８が得られる。この合成画像５８に対して動画像生成部５２は、レンダリング処理や、ホログラム用の並べ替え処理等を施して画像５９ａ、５９ｂ、５９ｃからなる、視差画像列５９を生成する。すなわち、この画像処理サーバ１０は、テクスチャマッピング処理用アプリケーションソフトウェア１４4を実行することで、３Ｄ画像に静止画２Ｄ画像を合成してから、全体をレンダリングして動画像を生成している。
【００８７】
なお、画像処理サーバ６０が行う画像処理としては、静止画像に平面文字を入れる処理でもよい。この場合にも、静止画像に平面文字を重ね書きするものである。また、画像処理サーバ６０は、上記平面文字や上述した立体文字を静止画像上で移動、回転、ズームするような画像処理を行ってもよい。
【００８８】
このように、第１の実施の形態となる、動画像受注システムにおいて、ユーザは、既に得ている２次元画像を基礎とする動画像を注文し、ダウンロードすることができる。
【００８９】
事業者側では、ユーザが既に得ている２次元画像を、ネットワークを介して受け取り、その２次元画像にユーザの所望の画像処理を施し、その画像処理データを用いて動画像を生成し、ユーザに提供することができる。また、ユーザにとっては、動画像用にわざわざ２次元画像を撮影することなく、所望の画像処理が施された動画像を注文することができる。また、事業者にとっては、システムの稼働率を高めることができ、ユーザ及び事業者の双方に優れた利便をもたらす。
【００９０】
つぎに、本発明の第２の実施の形態について説明する。この第２の実施の形態も、ユーザが既に所持している２次元画像に画像処理を施して得られる動画像を、ネットワークを介して受注する動画像受注システムであるが、上記受付及び受付内容確認工程における、画像処理後に、ユーザ端末９０にプレビュー画像を送り、ユーザ端末９０に表示させる。これによりユーザはプレビュー画像を見てから受付内容を確認できる。システムの構成は図１及び図２に示したのと同様であるので説明を省略する。ここでは、プレビュー画像を生成する画像処理サーバ６０と、この画像処理サーバ６０によって生成されたプレビュー画像を表示するユーザー端末９０についてあらためて説明する。
【００９１】
画像処理サーバ６０は、上述したように、処理コンピュータ部６１を有する。処理コンピュータ部６１は、ユーザ端末９０から送信された画像データに対して必要に応じた画像処理を施し、プレビュー画像としてユーザ端末９０に供給し、表示部に表示させる。
【００９２】
このように画像処理サーバ６０は、画像データに対して画像処理を施して得られた動画像と同様の動画像をプレビュー表示するためのプレビュー画像を生成する。
【００９３】
ユーザ端末９０は、上述したように、ユーザコンピュータ部９１を有する。ユーザコンピュータ部９１は、画像の注文を行う際に、所定の接続業者を介して上述した処理と同様の処理を行う。さらに、ユーザコンピュータ部９１は、ユーザにより注文された動画像のプレビュー画像を、画像処理サーバ６０からダウンロードし、このプレビュー画像を表示部に表示する。これに応じて、ユーザがプレビュー画像を確認して注文を決定する旨を主張する所定の操作を行うと、ユーザコンピュータ部９１は、確認制御信号を注文受付サーバ８０に送る。そして、ユーザコンピュータ部９１は、注文受付サーバ８０から上述した所定の支払い方法をダウンロードし、この支払い方法画面を表示部に表示する。ユーザコンピュータ部９１は、ユーザがこの支払い方法画面上のボタン等を操作することによって選択した支払い方法制御信号を注文受付サーバに供給する。さらにまた、ユーザコンピュータ部９１は、課金・決済サーバ７０から上述した支払情報が要求されるのに応じて、ユーザが図示しない操作部を介して所定の支払情報を入力し、この支払情報を上述した注文データとして課金・決済サーバ７０に供給する。そして、ユーザコンピュータ部９１は、課金・決済サーバ７０から支払完了制御信号が供給されるとともに、注文受付サーバ８０から受付完了制御信号が供給される。
【００９４】
より具体的に、この第２の実施の形態の、動画像受注システムは、図１１及び図１２に示すような一連の処理を行うことにより、動画像を受注する。この一連の処理も、接続及びユーザ照会工程、受付及び受付内容確認工程、ダウンロード及び支払工程という３つの工程に大別される。
【００９５】
先ず、この第２の実施の形態となる、動画像受注システムにおいても、図１１に示すように、接続及びユーザ照会工程が行われる。始めに、ステップＳ４１において、ユーザ端末９０が注文受付サーバ８０に対する注文準備処理を行う。この注文準備処理については上記ステップＳ２１に示したものと同様であるので、ここでは説明を省略する。そして、この注文準備処理に応じて、ユーザ端末９０から注文受付サーバ８０に対して、接続を要求するための接続要求制御信号Ｃ４１が供給され、このシステムにおいて、接続が許可されると、注文受付サーバ８０からユーザ端末９０に対して、上述した注文用の所定の初期画面ＩＶがダウンロードされ、ユーザ端末９０の図示しない表示部に表示される。
【００９６】
続いて、ユーザ端末９０において、ユーザが操作部を介して初期画面ＩＶ上の注文の要求を行うための選択ボタンを操作することによって注文の要求を行うと、この要求に応じて、ユーザ端末９０から注文受付サーバ８０に対して、注文を要求するための注文要求制御信号Ｃ４２が供給される。これにともない、このシステムにおいては、注文受付サーバ８０からユーザ端末９０に対して、ユーザが本システムの適格者であることを確認するため、会員番号を要求する要求制御信号Ｃ４３が供給される。これに対してユーザ端末９０から正しい会員番号ＵＩＤが送信されると、注文受付サーバ８０は、ユーザの照会を行い、接続を認証する。
【００９７】
続いて、動画像受注システムにおいては、ユーザの適格が認証されて注文が許可されると、受付及び受付内容確認工程が行われる。このシステムにおいても、注文受付サーバ８０からユーザ端末９０に対して、注文用の所定のメニュー画面ＭＶがダウンロードされ、ユーザ端末９０の表示部に表示される。このシステムにおいても、ユーザがメニュー画面ＭＶに表示されたメニューの中から注文する項目を選択し、操作部を介して当該項目を選択するための選択ボタンを操作することによって注文を行う。この選択動作に応じて、ユーザ端末９０から注文受付サーバ８０に対して、選択された項目を示す選択制御信号Ｃ４４が供給される。これにともない、上記システムにおいても、ステップＳ４３において、注文受付サーバ８０によって選択された受付内容が確認される。
【００９８】
この要求制御信号Ｃ４５に応えてユーザ端末９０から２次元画像データＶＤが画像処理サーバ６０に送られる。
【００９９】
画像処理サーバ６０は、上記２次元画像データＶＤに対して、ステップＳ４６にて、画像のサイズ変換処理、回転処理を施す。また、モーフィング処理を施す。さらに、テクスチャーマッピング処理、レンダリングによる視差画像生成処理を施す。これらの各処理については上述したとおりである。処理コンピュータ部６１で画像処理が施されて生成された画像処理データＥＶＤは、一旦、ユーザ端末９０にダウンロードされる。
【０１００】
ユーザ端末９０は、上記画像処理データＥＶＤをダウンロードし、ステップＳ４７にて表示部にプレビューする。このとき、注文受付サーバ８０から、ユーザ端末９０には受付内容表示制御信号Ｃ４６も送信されてくる。
【０１０１】
これに対して、ユーザ端末９０を使い、ユーザがプレビュー画像を確認し、注文を決定する旨の操作を行うと、ユーザ端末９０は、確認制御信号Ｃ４７を注文受付サーバ８０に返す。注文受付サーバ８０は、ステップＳ４８にて最終的な受付内容を確認し、確認制御信号Ｃ４７’を画像処理サーバ６０に送り、画像処理サーバ６０で生成された上記画像処理データＥＶＤを画像蓄積サーバ３０に格納させる。
【０１０２】
続いて、この第２の実施の形態の、動画像受注システムにおいても、図１２に示すように、ダウンロード及び支払工程が行われる。
【０１０３】
このシステムにおいても、注文受付サーバ８０からユーザ端末９０に対して、上述した所定の支払方法画面ＣＶがダウンロードされ、ユーザ端末９０の表示部に表示される。そして、ユーザが支払方法画面ＣＶに表示されたメニューの中から所望の支払方法を選択し、操作部を介して当該支払方法を選択するための選択ボタンを操作することにより、ユーザ端末９０から注文受付サーバ８０に対して、支払方法制御信号Ｃ４８が供給される。そして、ステップＳ４９において、注文受付サーバ８０によって支払方法が確認され、課金を指示する課金指示制御信号Ｃ４９が課金・決済サーバ７０に供給される。
【０１０４】
続いて、このシステムにおいても、ステップＳ５０において、課金・決済サーバ７０によって課金処理を行うための所定の準備処理が行われ、課金・決済サーバ７０からユーザ端末９０に対して、上述した支払情報を要求するための支払情報要求信号Ｃ５０が供給される。これにともない、このシステムにおいても、ユーザがユーザ端末９０における操作部を介して所定の支払情報を入力することにより、支払情報ＰＩがユーザ端末９０により生成され、課金・決済サーバ７０に供給される。
【０１０５】
そして、ユーザ端末９０から課金・決済サーバ７０に対して、注文データＯＤが供給されると、課金・決済サーバ７０は、課金額提示制御信号Ｓ５１をユーザ端末９０に送る。この課金額提示に対してユーザ端末９０が了解した旨の確認制御信号Ｃ５２を注文受付サーバ８０に返すと、注文受付サーバ８０の注文コンピュータ部８１は、動画像配信受注サーバ２０の受注コンピュータ２１に対して注文データＯＤを送信する。
【０１０６】
動画像配信受注サーバ２０の受注コンピュータ２１は、上記注文データＯＤに基づいて画像蓄積サーバ３０に動画像の出力指示制御信号Ｃ５３を送る。この出力指示制御信号Ｃ５３に応じて画像蓄積サーバ３０から、画像処理の施された動画像データＥＶＤがユーザ端末９０にダウンロードされる。
【０１０７】
ユーザ端末９０が上記動画像データＥＶＤをダウンロードする（ステップＳ５１）と、ダウンロードしたということを示すダウンロード確認信号Ｃ５４が注文受付サーバ８０に供給される。この注文受付サーバ８０はダウンロード確認信号Ｃ５４の受信を課金・決済サーバ７０に知らせる。すると、課金・決済サーバ７０は、ステップＳ５２にて課金を実行する。
【０１０８】
ユーザ端末９０のユーザコンピュータ部９１には、課金・決済サーバ７０から支払完了制御信号Ｃ５６が供給される。また、注文受付サーバ８０には課金完了通知Ｃ５７が送られ、ステップＳ５２にて完了処理がなされる。
【０１０９】
このように、第２の実施の形態となる、動画像受注システムにおいて、ユーザは、既に得ている２次元画像をネットワークを介して送信し、その２次元画像に画像処理を施した画像処理データを動画像データとして、プレビューすることによって、出来上がりの状態を見ながら注文することができる。
【０１１０】
つぎに、本発明の第３の実施の形態について説明する。この第３の実施の形態も、ユーザが既に所持している２次元画像に画像処理を施して得られる動画像を、ネットワークを介して受注する動画像受注システムであるが、上記受付及び受付内容確認工程における、受付内容確認処理後に、注文受付サーバ８０からユーザ端末９０に背景などの画像データを送信している。そして、ユーザ端末９０にて既に所持している２次元画像に対して上記背景などの画像データを用いた簡易画像処理を行ってプレビュー画像を参照し、そのプレビューの結果から２次元画像データやパラメータを画像処理サーバ６０に送る。
【０１１１】
ユーザはユーザ端末９０で簡易画像処理を行った結果をプレビューし、プレビューしながら、２次元の画像データやパラメータを最適なものに調整し、最適な２次元画像データやパラメータを画像処理サーバ６０に送ることができる。
【０１１２】
システムの構成は図１及び図２に示したのと同様であるので説明を省略する。ここでは、注文受付サーバ８０から背景等の画像データを送信され、簡易画像処理を行うユーザ端末９０についてあらためて説明する。
【０１１３】
ユーザ端末９０は、上述したように、ユーザコンピュータ部９１を有する。ユーザコンピュータ部９１は、画像の注文を行う際に、所定の接続業者を介して上述した処理と同様の処理を行う。さらに、ユーザコンピュータ部９１は、注文受付サーバ８０から送信された背景等の画像データを受け取り、送ろうとしている２次元画像に簡易画像処理を施す。そして、簡易画像処理により得られた画像処理データを動画像データとして表示部に映しだしプレビューすることができる。この結果、プレビューが満足するものであり、ユーザがその内容で良いと判断すれば、上記２次元画像データとそのパラメータを送信する。
【０１１４】
そして、ユーザコンピュータ部９１は、注文受付サーバ８０から上述した所定の支払い方法をダウンロードし、この支払い方法画面を表示部に表示する。ユーザコンピュータ部９１は、ユーザがこの支払い方法画面上のボタン等を操作することによって選択した支払い方法制御信号を注文受付サーバに供給する。さらにまた、ユーザコンピュータ部９１は、課金・決済サーバ７０から上述した支払情報が要求されるのに応じて、ユーザが図示しない操作部を介して所定の支払情報を入力し、この支払情報を上述した注文データとして課金・決済サーバ７０に供給する。そして、ユーザコンピュータ部９１は、課金・決済サーバ７０から支払完了制御信号が供給されるとともに、注文受付サーバ８０から受付完了制御信号が供給される。
【０１１５】
より具体的に、この第３の実施の形態の、動画像受注システムは、図１３及び図１４に示すような一連の処理を行うことにより、動画像を受注する。この一連の処理も、接続及びユーザ照会工程、受付及び受付内容確認工程、ダウンロード及び支払工程という３つの工程に大別される。
【０１１６】
先ず、この第３の実施の形態となる、動画像受注システムにおいても、図１７に示すように、接続及びユーザ照会工程が行われる。始めに、ステップＳ６１において、ユーザ端末９０が注文受付サーバ８０に対する注文準備処理を行う。この注文準備処理については上記ステップＳ２１に示したものと同様であるので、ここでは説明を省略する。そして、この注文準備処理に応じて、ユーザ端末９０から注文受付サーバ８０に対して、接続を要求するための接続要求制御信号Ｃ６１が供給され、このシステムにおいて、接続が許可されると、注文受付サーバ８０からユーザ端末９０に対して、上述した注文用の所定の初期画面ＩＶがダウンロードされ、ユーザ端末９０の図示しない表示部に表示される。
【０１１７】
続いて、ユーザ端末９０において、ユーザが操作部を介して初期画面ＩＶ上の注文の要求を行うための選択ボタンを操作することによって注文の要求を行うと、この要求に応じて、ユーザ端末９０から注文受付サーバ８０に対して、注文を要求するための注文要求制御信号Ｃ６２が供給される。これにともない、このシステムにおいては、注文受付サーバ８０からユーザ端末９０に対して、ユーザが本システムの適格者であることを確認するため、会員番号を要求する要求制御信号Ｃ６３が供給される。これに対してユーザ端末９０から正しい会員番号ＵＩＤが送信されると、注文受付サーバ８０は、ユーザの照会を行い、接続を認証する。
【０１１８】
続いて、この動画像受注システムにおいては、ユーザの適格が認証されて注文が許可される（ステップＳ６２）と、受付及び受付内容確認工程が行われる。このシステムにおいても、注文受付サーバ８０からユーザ端末９０に対して、注文用の所定のメニュー画面ＭＶがダウンロードされ、ユーザ端末９０の表示部に表示される。このシステムにおいても、ユーザがメニュー画面ＭＶに表示されたメニューの中から注文する項目を選択し、操作部を介して当該項目を選択するための選択ボタンを操作することによって注文を行う。この選択動作に応じて、ユーザ端末９０から注文受付サーバ８０に対して、選択された項目を示す選択制御信号Ｃ６４が供給される。これにともない、上記システムにおいても、ステップＳ６３において、注文受付サーバ８０によって選択された受付内容が確認される。
【０１１９】
続いて、この第３の実施の形態となる、動画像受注システムにおいては、注文受付サーバ８０からユーザ端末９０に対して背景などの画像データが送信される（ステップＳ６４）。そして、ユーザ端末９０では、既に所持している２次元画像に対して上記背景などの画像データを用いた簡易画像処理を行って（ステップＳ６５）プレビュー画像を参照し（ステップＳ６６）、そのプレビューの結果から２次元画像データやパラメータを画像処理サーバ６０に送る。具体的に、ユーザはユーザ端末９０で簡易画像処理を行った結果をプレビューし、プレビューしながら、２次元の画像データやパラメータを最適なものに調整し、最適な２次元画像データＶＤやパラメータを画像処理サーバ６０に送る（ステップＳ６７）ことができる。
【０１２０】
画像処理サーバ６０は、上記２次元画像データＶＤに対して、ステップＳ６８にて、画像処理を施す。このとき、注文受付サーバ８０から、ユーザ端末９０には受付内容表示制御信号Ｃ６５が送信されてくる。
【０１２１】
これに対して、ユーザ端末９０を使い、ユーザが注文を決定する旨の操作を行うと、ユーザ端末９０は、確認制御信号Ｃ６６を注文受付サーバ８０に返す。注文受付サーバ８０は、ステップＳ６９にて最終的な受付内容を確認し、確認制御信号Ｃ６７を画像処理サーバ６０に送り、画像処理サーバ６０で生成された上記画像処理データＥＶＤを画像蓄積サーバ３０に格納させる。
【０１２２】
続いて、この第３の実施の形態の、動画像受注システムにおいても、図１４に示すように、ダウンロード及び支払工程が行われる。このシステムにおいても、注文受付サーバ８０からユーザ端末９０に対して、上述した所定の支払方法画面ＣＶがダウンロードされ、ユーザ端末９０の表示部に表示される。そして、ユーザが支払方法画面ＣＶに表示されたメニューの中から所望の支払方法を選択し、操作部を介して当該支払方法を選択するための選択ボタンを操作することにより、ユーザ端末９０から注文受付サーバ８０に対して、支払方法制御信号Ｃ６８が供給される。そして、ステップＳ７０において、注文受付サーバ８０によって支払方法が確認され、課金を指示する課金指示制御信号Ｃ６９が課金・決済サーバ７０に供給される。
【０１２３】
続いて、このシステムにおいても、ステップＳ７１において、課金・決済サーバ７０によって課金処理を行うための所定の準備処理が行われ、課金・決済サーバ７０からユーザ端末９０に対して、上述した支払情報を要求するための支払情報要求信号Ｃ７０が供給される。これにともない、このシステムにおいても、ユーザがユーザ端末９０における操作部を介して所定の支払情報を入力することにより、支払情報ＰＩがユーザ端末９０により生成され、課金・決済サーバ７０に供給される。
【０１２４】
そして、ユーザ端末９０から課金・決済サーバ７０に対して、支払情報ＰＩが供給されると、課金・決済サーバ７０は、課金額提示制御信号Ｃ７１をユーザ端末９０に送る。この課金額提示に対してユーザ端末９０が了解した旨の確認制御信号Ｃ７２を注文受付サーバ８０に返すと、注文受付サーバ８０の注文コンピュータ部８１は、動画像配信受注サーバ２０の受注コンピュータ２１に対して注文データＯＤを送信する。
【０１２５】
動画像配信受注サーバ２０の受注コンピュータ２１は、上記注文データＯＤに基づいて画像蓄積サーバ３０に動画像の出力指示制御信号Ｃ７３を送る。この出力指示制御信号Ｃ７３に応じて画像蓄積サーバ３０から、画像処理の施された動画像データＥＶＤがユーザ端末９０にダウンロードされる。
【０１２６】
ユーザ端末９０が上記動画像データＥＶＤをダウンロードする（ステップＳ７２）と、ダウンロードしたということを示すダウンロード確認信号Ｃ７４が注文受付サーバ８０に供給される。この注文受付サーバ８０はダウンロード確認信号Ｃ７４の受信を課金・決済サーバ７０に知らせる。すると、課金・決済サーバ７０は、ステップＳ７３にて課金を実行する。
【０１２７】
ユーザ端末９０のユーザコンピュータ部９１には、課金・決済サーバ７０から支払完了制御信号Ｃ７６が供給される。また、注文受付サーバ８０には課金完了通知Ｃ７７が送られ、ステップＳ７４にて完了処理がなされる。
【０１２８】
このように、第３の実施の形態となる、動画像受注システムにおいて、ユーザは、既に得ている複数の２次元画像をネットワークを介して送信し、その２次元画像に簡易画像処理を施し、その結果をプレビューすることで、２次元の画像データやパラメータを最適なものに調整し、最適な２次元画像データやパラメータを画像処理サーバ６０に送る。そして、その２次元画像に画像処理を施した画像処理データを動画像データとしてダウンロードすることができる。
【０１２９】
つぎに、本発明の第４の実施の形態について説明する。この第４の実施の形態も、ユーザが既に所持している２次元画像に画像処理を施して得られる動画像を、ネットワークを介して受注する動画像受注システムであるが、上記受付及び受付内容確認工程における、受付内容確認処理後に、注文受付サーバ８０からユーザ端末９０に背景などの画像データを送信している。そして、ユーザ端末９０にて既に所持している２次元画像に対して上記背景などの画像データを用いた画像処理を行ってプレビューし、プレビュー結果が気に入れば、画像蓄積サーバ３０に画像処理データである動画像データを送るものである。すなわち、画像処理はユーザ端末９０側で行い、その画像処理結果を画像蓄積サーバ３０に記憶させるものである。
【０１３０】
システムの構成は図１及び図２に示したのと同様であるので全体的な説明を省略する。ここでは、注文受付サーバ８０から背景等の画像データを送信され、画像処理を行うユーザ端末９０についてあらためて説明する。
【０１３１】
ユーザ端末９０は、上述したように、ユーザコンピュータ部９１を有する。ユーザコンピュータ部９１は、画像の注文を行う際に、所定の接続業者を介して上述した処理と同様の処理を行う。さらに、ユーザコンピュータ部９１は、注文受付サーバ８０から送信された背景等の画像データを受け取り、送ろうとしている２次元画像に画像処理を施す。そして、画像処理により得られた画像処理データを表示部に映しだしプレビューすることができる。この結果、プレビューが満足するものであり、ユーザがその内容で良いと判断すれば、画像処理データを画像蓄積サーバ３０に送信し、蓄積させる。
【０１３２】
そして、ユーザコンピュータ部９１は、注文受付サーバ８０から上述した所定の支払い方法をダウンロードし、この支払い方法画面を表示部に表示する。ユーザコンピュータ部９１は、ユーザがこの支払い方法画面上のボタン等を操作することによって選択した支払い方法制御信号を注文受付サーバに供給する。さらにまた、ユーザコンピュータ部９１は、課金・決済サーバ７０から上述した支払情報が要求されるのに応じて、ユーザが図示しない操作部を介して所定の支払情報を入力し、この支払情報を上述した注文データとして課金・決済サーバ７０に供給する。そして、ユーザコンピュータ部９１は、課金・決済サーバ７０から支払完了制御信号が供給されるとともに、注文受付サーバ８０から受付完了制御信号が供給される。
【０１３３】
より具体的に、この第４の実施の形態の、動画像受注システムは、図１５及び図１６に示すような一連の処理を行うことにより、動画像を受注する。この一連の処理も、接続及びユーザ照会工程、受付及び受付内容確認工程、ダウンロード及び支払工程という３つの工程に大別される。
【０１３４】
先ず、この第４の実施の形態となる、動画像受注システムにおいても、図１５に示すように、接続及びユーザ照会工程が行われる。始めに、ステップＳ８１において、ユーザ端末９０が注文受付サーバ８０に対する注文準備処理を行う。この注文準備処理については上記ステップＳ２１に示したものと同様であるので、ここでは説明を省略する。そして、この注文準備処理に応じて、ユーザ端末９０から注文受付サーバ８０に対して、接続を要求するための接続要求制御信号Ｃ８１が供給され、このシステムにおいて、接続が許可されると、注文受付サーバ８０からユーザ端末９０に対して、上述した注文用の所定の初期画面ＩＶがダウンロードされ、ユーザ端末９０の図示しない表示部に表示される。
【０１３５】
続いて、ユーザ端末９０において、ユーザが操作部を介して初期画面ＩＶ上の注文の要求を行うための選択ボタンを操作することによって注文の要求を行うと、この要求に応じて、ユーザ端末９０から注文受付サーバ８０に対して、注文を要求するための注文要求制御信号Ｃ８２が供給される。これにともない、このシステムにおいては、注文受付サーバ８０からユーザ端末９０に対して、ユーザが本システムの適格者であることを確認するため、会員番号を要求する要求制御信号Ｃ８３が供給される。これに対してユーザ端末９０から正しい会員番号ＵＩＤが送信されると、注文受付サーバ８０は、ユーザの照会を終え、接続を認証する（ステップＳ８２）。
【０１３６】
続いて、動画像受注システムにおいては、ユーザの適格が照会され、接続が認証されて注文が許可されると、受付及び受付内容確認工程が行われる。このシステムにおいても、注文受付サーバ８０からユーザ端末９０に対して、注文用の所定のメニュー画面ＭＶがダウンロードされ、ユーザ端末９０の表示部に表示される。このシステムにおいても、ユーザがメニュー画面ＭＶに表示されたメニューの中から注文する項目を選択し、操作部を介して当該項目を選択するための選択ボタンを操作することによって注文を行う。この選択動作に応じて、ユーザ端末９０から注文受付サーバ８０に対して、選択された項目を示す選択制御信号Ｃ８４が供給される。これにともない、上記システムにおいても、ステップＳ８３において、注文受付サーバ８０によって選択された受付内容が確認される。
【０１３７】
続いて、この第４の実施の形態となる、動画像受注システムにおいては、注文受付サーバ８０からユーザ端末９０に対して背景などの画像データが送信される（ステップＳ８４）。そして、ユーザ端末９０では、既に所持している２次元画像に対して上記背景などの画像データを用いた画像処理を行って（ステップＳ８５）プレビュー画像を参照する（ステップＳ８６）。このとき、注文受付サーバ８０から、ユーザ端末９０には受付内容表示データＲＤが送信されてくる。
【０１３８】
これに対して、ユーザ端末９０を使い、ユーザが注文を決定する旨の操作を行うと、ユーザ端末９０は、確認制御信号Ｃ８５を注文受付サーバ８０に返す。注文受付サーバ８０は、ステップＳ８７にて最終的な受付内容を確認する。
【０１３９】
その後、ユーザ端末９０は、ステップＳ８８にて、画像処理によって得られた画像処理データＥＶＤを画像蓄積サーバ３０に送信し、蓄積させる。
【０１４０】
続いて、この第３の実施の形態の、動画像受注システムにおいても、図１６に示すように、ダウンロード及び支払工程が行われる。
【０１４１】
このシステムにおいても、注文受付サーバ８０からユーザ端末９０に対して、上述した所定の支払方法画面ＣＶがダウンロードされ、ユーザ端末９０の表示部に表示される。そして、ユーザが支払方法画面ＣＶに表示されたメニューの中から所望の支払方法を選択し、操作部を介して当該支払方法を選択するための選択ボタンを操作することにより、ユーザ端末９０から注文受付サーバ８０に対して、支払方法制御信号Ｃ８６が供給される。そして、ステップＳ８９において、注文受付サーバ８０によって支払方法が確認され、課金を指示する課金指示制御信号Ｃ８７が課金・決済サーバ７０に供給される。
【０１４２】
続いて、このシステムにおいても、ステップＳ９０において、課金・決済サーバ７０によって課金処理を行うための所定の準備処理が行われ、課金・決済サーバ７０からユーザ端末９０に対して、上述した支払情報を要求するための支払情報要求信号Ｃ８８が供給される。これにともない、このシステムにおいても、ユーザがユーザ端末９０における操作部を介して所定の支払情報を入力することにより、支払情報ＰＩがユーザ端末９０により生成され、課金・決済サーバ７０に供給される。
【０１４３】
そして、ユーザ端末９０から課金・決済サーバ７０に対して、支払情報ＰＩが供給されると、課金・決済サーバ７０は、課金額提示制御信号Ｃ８９をユーザ端末９０に送る。この課金額提示に対してユーザ端末９０が了解した旨の確認制御信号Ｃ９０を注文受付サーバ８０に返すと、注文受付サーバ８０の注文コンピュータ部８１は、動画像配信受注サーバ２０の受注コンピュータ２１に対して注文データＯＤを送信する。
【０１４４】
動画像配信受注サーバ２０の受注コンピュータ２１は、上記注文データＲＯＤに基づいて画像蓄積サーバ３０に動画像の出力指示制御信号Ｃ９１を送る。この出力指示制御信号Ｃ９１に応じて画像蓄積サーバ３０から、画像処理の施された動画像データＥＶＤがユーザ端末９０にダウンロードされる（ステップＳ９１）。
【０１４５】
ユーザ端末９０が上記動画像データＥＶＤをダウンロードして受け取ると、ダウンロードしたということを示すダウンロード確認信号Ｃ９２が注文受付サーバ８０に供給される。この注文受付サーバ８０はダウンロード確認信号Ｃ９２の受信を課金・決済サーバ７０に知らせる（Ｃ９３）。すると、課金・決済サーバ７０は、ステップＳ９２にて課金を実行する。
【０１４６】
ユーザ端末９０のユーザコンピュータ部９１には、課金・決済サーバ７０から支払完了制御信号Ｃ９４が供給される。また、注文受付サーバ８０には課金完了通知Ｃ９５が送られ、ステップＳ９３にて完了処理がなされる。
【０１４７】
このように、第４の実施の形態となる、動画像受注システムにおいて、ユーザはユーザ端末９０にて、既に得ている複数の２次元画像に、注文受付サーバ８０から送信されてきた背景などの画像データを用いて画像処理を施し、その結果をプレビューし、画像処理結果を画像処理サーバ６０に送る。そして、２次元画像にユーザ端末９０側での画像処理を施して得た画像処理データである動画像データを画像蓄積サーバ３０からダウンロードすることができる。
【０１４８】
なお、画像処理サーバ１０が行う画像処理としては、動画像に平面文字を入れる処理でもよい。この場合にも、動画像に平面文字を重ね書きするものである。また、画像処理サーバ１０は、上記平面文字や上述した立体文字を動画像上で移動、回転、ズームするような画像処理を行ってもよい。
【０１４９】
また、画像処理サーバ１０が行う画像処理としては、動画像を縦軸ｙを中心にめくるようなフリッピング処理を行うものでもよい。さらに、動画像自体を平面上で回転させるような回転処理を行うものでもよい。
【０１５０】
【発明の効果】
本発明によれば、ユーザにとっては、既に撮影して得ていた２次元画像を複数枚、ネットワークを介して事業者に送るだけで、所望の画像処理が施された動画像をダウンロードすることができるとともに、事業者にとっては、システムの稼働率を高めることができ、ユーザ及び事業者の双方に優れた利便を提供することができる。
【図面の簡単な説明】
【図１】本発明の第１の実施の形態〜第４の実施の形態となる、動画像受注システムの構成を示すブロック図である。
【図２】上記図１に示した動画像受注システムにおける各装置間で受け渡される情報を説明するための図である。
【図３】本発明の第１の実施の形態となる、動画像受注システムにおける一連の処理工程を説明する図であって、接続及びユーザ照会工程と受付及び受付内容確認工程とを説明する図である。
【図４】本発明の第１の実施の形態となる、動画像受注システムにおける一連の処理工程を説明する図であって、ダウンロード及び支払確認工程を説明する図である。
【図５】上記動画像受注システムを構成する、画像処理サーバの内部構成を示す図である。
【図６】ユーザによる領域指定データの入力を示す図である。
【図７】モーフィング処理用アプリケーションソフトウェアが行うモーフィング処理を説明するための図である。
【図８】モーフィング処理の具体例を説明するための図である。
【図９】テクスチャマッピング処理アプリケーションソフトウェアの第１の具体例を、画像処理サーバが実行したときの機能ブロック図である。
【図１０】テクスチャマッピング処理アプリケーションソフトウェアの第１の具体例を、画像処理サーバが実行したときの処理例を説明するための図である。
【図１１】本発明の第２の実施の形態となる、動画像受注システムにおける一連の処理工程を説明する図であって、接続及びユーザ照会工程と受付及び受付内容確認工程とを説明する図である。
【図１２】本発明の第２の実施の形態となる、動画像受注システムにおける一連の処理工程を説明する図であって、ダウンロード及び支払確認工程を説明する図である。
【図１３】本発明の第３の実施の形態となる、動画像受注システムにおける一連の処理工程を説明する図であって、接続及びユーザ照会工程と受付及び受付内容確認工程とを説明する図である。
【図１４】本発明の第３の実施の形態となる、動画像受注システムにおける一連の処理工程を説明する図であって、ダウンロード及び支払確認工程を説明する図である。
【図１５】本発明の第４の実施の形態となる、動画像受注システムにおける一連の処理工程を説明する図であって、接続及びユーザ照会工程と受付及び受付内容確認工程とを説明する図である。
【図１６】本発明の第４の実施の形態となる、動画像受注システムにおける一連の処理工程を説明する図であって、ダウンロード及び支払確認工程を説明する図である。
【符号の説明】
２０  出力受注サーバ、  ３０  画像蓄積サーバ、６０  画像処理サーバ、  ７０  課金・決済サーバ、  ８０  注文受付サーバ、  ９０  ユーザ端末
【図１】
0004677661.tif 000002
【図２】
0004677661.tif 000003
【図３】
0004677661.tif 000004
【図４】
0004677661.tif 000005
【図５】
0004677661.tif 000006
【図６】
0004677661.tif 000007
【図７】
0004677661.tif 000008
【図８】
0004677661.tif 000009
【図９】
0004677661.tif 000010
【図１０】
0004677661.tif 000011
【図１１】
0004677661.tif 000012
【図１２】
0004677661.tif 000013
【図１３】
0004677661.tif 000014
【図１４】
0004677661.tif 000015
【図１５】
0004677661.tif 000016
【図１６】
0004677661.tif 000017